(57)【要約】【課題】監視規模を拡張した場合でも保守作業を容易し、クライアント端末からエンコーダへの要求を容易したネットワーク型監視システムを提供する。【解決手段】センサやカメラによる監視情報を複数のエンコーダで収集し、ネットワークに接続されたクライアント端末に配信するネットワーク型監視システムにおいて、上記複数のエンコーダのうちの１つがサーバ機能を備え、サーバ兼用機が、各エンコーダで収集したアラーム情報を一括して管理し、クライアント端末に対するアラーム情報の配信を制御する。【選択図】  図１
2004295835.tif 000002
【特許請求の範囲】
【請求項１】
センサやカメラによる監視情報を複数のエンコーダで収集し、ネットワークに接続されたクライアント端末に配信するネットワーク型監視システムにおいて、上記複数のエンコーダのうちの１つがサーバ機能を備え、該エンコーダが、他のエンコーダからアラーム情報の通知を受け、監視システム内のアラーム情報を一元管理するようにしたことを特徴するネットワーク型監視システム。
【発明の詳細な説明】
【０００１】
【発明の属する技術分野】
本発明は、ネットワーク型監視システムに関し、更に詳しくは、センサやカメラによる監視情報を複数のエンコーダで収集し、ネットワークを介してクライアント端末に配信するネットワーク型監視システムに関する。
【０００２】
【従来の技術】
遠隔地に設置した侵入物検知センサやカメラからの監視情報を遠隔地にあるクライアント端末に配信する監視システムとして、監視情報をネットワーク型監視画像配信装置（エンコーダ）で収集し、該エンコーダからネットワークを介してクライアント端末に監視情報を配信するネットワーク型監視システムが知られている。また、特開２００２−３５４４３号公報（特許文献１）には、各クライアント端末が必要とする画質に応じた監視画像配信サービスを行うために、映像変換サーバを設けた映像配信システムが提案されている。
【０００３】
【特許文献１】
特開２００２−３５４４３号公報
【０００４】
【発明が解決しようとする課題】
従来のネットワーク型監視システムでは、監視情報を収集する各エンコーダが互いに独立した対等の機能をもっており、センサが発報した時、発報センサを収容しているエンコーダからクライアント端末にアラームが通報されていた。このため、例えば、クライアント端末の立ち上げ時に、監視システム全体のセンサ状態を把握したい場合、クライアント端末から各エンコーダに対して、個別にセンサの状態を問い合わせる必要があった。また、センサを増設し、監視規模を拡張した場合、従来のネットワーク型監視システムでは、センサが増設されたエンコーダにおいて、作業者が、エンコーダとセンサとの接続状態を確認した上で、アラーム情報管理のためのテーブルエントリの登録作業を行う必要があった。
【０００５】
本発明の目的は、クライアント端末からエンコーダへの監視情報の要求を容易にしたネットワーク型監視システムを提供することにある。
本発明の他の目的は、監視規模が変更された場合でも保守作業を容易にしたネットワーク型監視システムを提供することにある。
【０００６】
【課題を解決するための手段】
上記目的を達成するため、本発明は、センサやカメラによる監視情報を複数のエンコーダで収集し、ネットワークに接続されたクライアント端末に配信するネットワーク型監視システムにおいて、上記複数のエンコーダのうちの１つがサーバ機能を備え、該エンコーダが、他のエンコーダからアラーム情報の通知を受け、監視システム内のアラーム情報を一元管理するようにしたことを特徴する。
【０００７】
更に詳述すると、本発明のネットワーク型監視システムは、サーバ機能を備えたエンコーダ（以下、サーバ兼用機と言う）が、監視システムを構成している全てのセンサに関して、センサ収容先エンコーダのアドレスおよびセンサ接点番号と、センサの発報状態を管理しておき、センサ発報を検知した各エンコーダが上記サーバ兼用機にセンサの発報を通知し、上記サーバ兼用機からクライアント端末に対してアラーム情報を通知するようにしたことを特徴とする。
【０００８】
本発明の１実施例では、クライアント端末における監視画面が、警報表示部とコンテンツ表示部とからなるＷＥＢブラウザ上の監視ページ形式で提供され、各クライアント端末が、初期動作として、サーバ兼用機に警報表示ＷＥＢページの送信を要求した時、サーバ兼用機から要求元クライアント端末に、発報センサの有無を示すパラメータを伴った警報表示ＷＥＢページを送信し、発報センサが１つでもあれば、クライアント監視画面の警報表示部にアラーム表示することを特徴とする。
【０００９】
本発明によれば、各クライアント端末は、サーバ兼用機に問い合わせることによって、アラームの詳細情報と、監視システムの全センサの状態を把握することが可能となり、センサが発報状態となった特定のエンコーダに対して、発報センサと対応するカメラの画像配信を要求すればよい。
【００１０】
本発明の他の特徴は、各エンコーダが、センサコネクタ部にセンサ接続検知回路を備え、エンコーダの立ち上げ時に、接点番号毎にセンサ接続の有無を検知し、これをサーバ兼用機に通知するようにしたことにある。この通知により、サーバ兼用機は、監視システムで稼動状態にある全センサについて、センサ収容先エンコーダのアドレスとセンサ接点番号の関係を把握することができる。従って、センサの増減によって監視規模が変更された場合でも、作業員がパラメータを設定しなくても、サーバ兼用機で自動的にセンサ情報の管理テーブルを構成し、センサ発報状態を一元管理することが可能となる。
【００１１】
【発明の実施の形態】
以下、本発明の実施例について、図面を参照して説明する。
図１は、本発明を適用するネットワーク型監視システムの全体構成を示す。
図１において、１（１Ａ〜１Ｎ）は、ＬＡＮ５で相互接続されたＷＥＢエンコーダであり、それぞれ侵入者検知用の複数のセンサ３（３−１〜３−８）と、監視画像撮影用の複数のカメラ４（４−１〜４−８）を収容している。これらのＷＥＢエンコーダは、センサ３から出力される検知信号Ｓ（Ｓ１〜Ｓ８）、カメラ４で撮影された監視画像信号ＳＭ（ＳＭ１〜ＳＭ８）、マイクでとらえた音声信号ＳＶ（ＳＶ１〜ＳＶ８）などの監視情報を収集し、ネットワーク８を介して、ＬＡＮ７に接続されたクライアント端末８（８−１〜８−ｍ）に配信する。ここでは、簡単化のために、１つのセンサに対応して１台のカメラを設置するものと仮定するが、センサ数とカメラ台数との組み合わせは任意に選択できる。また、ＷＥＢエンコーダに接続されるカメラは１台であってもよい。
【００１２】
クライアント端末８のオペレータは、ＷＥＢエンコーダ１から配信された監視情報をディスプレイやＮＴＳＣモニタ等に表示し、現地の状況を遠隔監視する。本発明の特徴の１つは、現地に配置された複数のＷＥＢエンコーダ１Ａ〜１Ｎのうちの１つ、ここではＷＥＢエンコーダ１Ａにサーバ機能を装備し、このＷＥＢエンコーダで監視現場のアラーム情報を一元管理することにある。本明細書では、サーバ機能を備えたＷＥＢエンコーダ１Ａと一般のＷＥＢエンコーダとを区別して引用するとき、前者をサーバ兼用機、後者をエンコーダと言う。
図２は、エンコーダ１（１Ａ〜１Ｎ）の構成の１例を示す。
エンコーダ１は、プロセッサ２０と、プロセッサ２０が実行する各種のプログラムを格納したプログラムメモリ２１と、後述するテーブル類が格納されるデータメモリ２２と、データファイル２４を備えた記録装置２３と、入出力装置２５と、ＬＡＮ５に接続するためのＬＡＮインタフェース２６とを有し、これらの要素は内部バス２７で相互接続されている。
【００１３】
カメラ４（４−１〜４―８）から出力された監視画像信号ＳＭ（ＳＭ１〜ＳＭ８）は、セレクタ１０を介して画像圧縮部１１に入力され、例えば、ＪＰＥＧ、ＭＰＥＧなどの画像圧縮方式で圧縮画像データに変換される。また、マイクでとらえた音声信号ＳＶ（ＳＶ１〜ＳＶ８）は、セレクタ１２を介して音声圧縮伸長部１３に入力され、符号化音声信号に変換される。これらの圧縮画像データと符号化音声信号は、記録装置２３によってデータファイル２４に蓄積される。また、クライアント端末８からの要求に応じて、ＬＡＮインタフェース２６を介してネットワーク６に送信される。１４は、カメラ４（４−１〜４―８）の電源制御や姿勢制御用の制御信号Ｃ１〜Ｃ８を発生するカメラ制御部であり、クライアント端末８からのカメラのリモート制御に利用される。
【００１４】
センサ３（３−１〜３−８）の出力信号線Ｌ１〜Ｌ８は、センサコネクタ１５に収容され、センサの出力信号Ｓ１〜Ｓ８は、セレクタ１８を介してアラーム信号制御部１９に入力される。１６−１〜１６−８は、センサコネクタ１５の各接点における信号線Ｌ１〜Ｌ８の挿入状態を検知する接続検知回路であり、これらの検知回路の状態は、セレクタ１７を介してプロセッサ２０に読み取られる。
【００１５】
次に、図３〜図７を参照して、本発明のネットワーク型監視システムにおけるアラーム情報の管理方法について説明する。
図３は、サーバ兼用機１Ａがデータメモリ２２に記憶しているアラーム情報テーブル５０の１例を示す。
アラーム情報テーブル５０には、センサ番号５１をもつ複数のエントリが登録されている。本実施例では、各エントリは、センサの収容先となるエンコーダのＩＰアドレス５２と、センサコネクタ１５における接点番号５３と、センサの接続状態（センサ接続の有無）５４と、アラーム発報状態５５と、アラームの発報時刻５６とを示している。
【００１６】
図示した例では、センサ番号１〜８は、ＩＰアドレス「１９２．１６８．１．１００」をもつサーバ兼用機１Ａに収容されたセンサを示しており、接点番号３、５、６のセンサ３−３、３−５、３−６（センサ番号３、５、６）は未接続の状態にあり、接点番号４のセンサ３−４（センサ番号４）が発報状態となっている。また、センサ番号９〜１６は、ＩＰアドレス「１９２．１６８．１．１０１」をもつエンコーダ１Ｂに収容されたセンサを示しており、接点番号１のセンサ３−１（センサ番号９）が発報状態となっている。
【００１７】
図４は、サーバ兼用機１Ａがデータメモリ２２に記憶しているアラームフラグ６０を示す。アラームフラグ６０は、アラーム情報テーブル５０における発報センサの有無を示すフラグであり、発報状態となったセンサが１つでも存在すれば、フラグ６０が“１”に設定される。システム内の他のエンコーダには、上記アラーム情報テーブル５０とアラームフラグ６０は不要である。
【００１８】
図５は、サーバ兼用機１Ａがメモリ２２に記憶しているアラーム送信先テーブル７０の１例を示す。
アラーム送信先テーブル７０は、送信先番号７１と対応して、センサが発報した時にアラーム情報の送信先となるクライアント端末のＩＰアドレス７２を示している。本実施例では、どのセンサが発報した場合でも、同一のクライアント端末にアラーム情報が送信されるようにしているが、アラームの送信先アドレスをセンサ番号またはエンコーダＩＰアドレスと対応付けることによって、発報センサによってアラーム情報の送信先を変えることもできる。
【００１９】
本発明では、サーバ兼用機１Ａが、上記アラーム情報テーブル５０とアラームフラグ６０によって、ＬＡＮ５に接続された全てのエンコーダのセンサ状態を一括して管理し、センサが発報した時、アラーム送信先テーブル７０が指定するクライアント端末にアラーム情報を送信するようにしている。他のエンコーダは、アラーム送信先テーブル７０に相当するテーブルとして、図６に示すように、宛先がサーバ兼用機のＩＰアドレス８２を示したアラーム送信先テーブル８０を備える。
【００２０】
アラーム送信先テーブル７０、８０へのエントリ登録は、何れかのクライアント端末からリモート操作で行うことができる。また、アラーム情報テーブル５０のエントリは、クライアント端末からも登録できるが、後述するように、各エンコーダの電源投入時に自動登録することが可能となっている。
【００２１】
図７は、本発明のネットワーク型監視システムにおけるセンサ発報時の動作シーケンスを示す。
サーバ兼用機以外の１般のエンコーダ（１Ｂ〜１Ｎ）に接続されたセンサが侵入物に反応し、これをアラーム信号制御部１９が検出（センサ発報）した場合（１００）、エンコーダのプロセッサ２０は、メモリ２２に用意されたアラーム送信先テーブル８０が示す送信先ＩＰアドレス８２に従って、サーバ兼用機１Ａにアラームメッセージを送信する（１０１）。上記アラームメッセージには、アラーム送信元となったエンコーダのＩＰアドレスと、発報センサの接点番号とが付加されている。
【００２２】
他のエンコーダからアラームメッセージを受信（２０１）したサーバ兼用機１Ａのプロセッサ２０は、メモリ２２に形成されているアラーム情報テーブル５０において、上記受信メッセージのエンコーダＩＰアドレスと接点番号に該当するエントリの発報状態５５をオフ（“０”）状態からオン（“１”）状態に変更し、発報時刻５６に現在時刻を設定し（２０２）、アラームフラグ６０をオン（“１”）状態に設定する（２０３）。この後、プロセッサ２０は、メモリ２２に用意されたアラーム送信先テーブル７０が示すＩＰアドレス７２に従って、クライアント端末に次々とアラームメッセージを送信する（２０４）。上記アラームメッセージには、アラーム情報テーブル５０における発報センサのセンサ番号５１が付加されている。上記２０２〜２０４は、サーバ兼用機１Ａに接続されたセンサが侵入物に反応し、これをアラーム信号制御部１９で検出（センサ発報）した場合にも実行される。
【００２３】
各クライアント端末は、サーバ兼用機１Ａからアラームメッセージを受信すると（３００）、受信メッセージが示すセンサ番号に発報があったことを示す警報表示を端末画面に出力し（３０１）、オペレータからの指令を待つ。オペレータから詳細情報の要求（３０２）があった場合、クライアント端末は、上記アラームメッセージの送信元であるサーバ兼用機に対して、センサ番号を指定して詳細情報要求メッセージを送信する（３０３）。
【００２４】
サーバ兼用機１Ａは、クライアント端末から上記詳細情報要求メッセージを受信すると（２０５）、アラーム情報テーブル５０から指定センサ番号に対応するエンコーダＩＰアドレス５２とセンサの接点番号５３を検索し、これらの値を含む詳細情報メッセージを要求元のクライアント端末に送信する（２０６）。
【００２５】
クライアント端末は、詳細情報メッセージの受信内容を表示し（３０４）、オペレータからコンテンツの要求があった場合（３０５）、上記詳細情報メッセージが示すエンコーダＩＰアドレスをもつエンコーダに対して、センサの接点番号を指定してコンテンツ配信要求メッセージを送信する（３０６）。
【００２６】
エンコーダは、クライアント端末からコンテンツ配信要求を受信すると（１０２）、指定された接点番号ｊのセンサと対応するカメラ４−ｊからの映像信号と音声信号を要求元クライアント端末に配信する（１０３）。これによって、クライアント端末の表示画面とスピーカに、カメラ（およびマイク）でとらえた現場の映像と音声が出力される（３０７）。
【００２７】
この後、オペレータが表示画面で現地の状況を確認し、確認終了を指示すると、クライアント端末からサーバ兼用機に対して、エンコーダＩＰアドレスとセンサの接点番号を指定した確認終了メッセージが送信される。サーバ兼用機は、上記確認終了メッセージを受信すると、アラーム情報テーブル５０において、上記受信メッセージが指定するデコーダＩＰアドレスと接点番号に該当するエントリの発報状態５５をオン（“１”）状態からオフ（“０”）状態に変更する。但し、上記発報状態の変更は、センサが発報してから所定時間が経過した時点で、サーバ兼用機が自動的にオフ状態に切替えるようにしてもよい。
【００２８】
上記シーケンスでは、アラームを受信したクライアント端末が、サーバ兼用機に詳細情報を要求し（３０３）、サーバ兼用機から入手した詳細情報に従って、センサ発報中のエンコーダにコンテンツを要求（３０６）したが、サーバ兼用機からクライアント端末に送信するアラームメッセージに、コンテンツ要求で必要となるエンコーダＩＰアドレスとセンサ接点番号を予め付加しておくことによって、アラーム表示（３０１）の直後に、クライアント端末からエンコーダにコンテンツ要求メッセージを送信（３０６）できるようにしてもよい。
【００２９】
次に、本発明の監視システムに適用されるアラーム受信機能つきのＷＥＢページ配信方法について説明する。
図８は、クライアント端末８の端末画面に出力されるリモート監視画面４００を示す。クライアント端末のリモート監視画面は、ＷＥＢブラウザ４０１上の監視ページとして生成できる。
【００３０】
本実施例の監視ページは、警報表示部４０２とコンテンツ表示部４０４とからなるフレーム構成となっており、警報表示部４０２には、サーバ兼用機１Ａから配信されたアラーム情報が表示される。コンテンツ表示部４０４には、エンコーダ（サーバ兼用機も含む）から配信されるカメラの監視画像が出力される。
【００３１】
警報表示部４０２には、警報表示アイコン４０３が表示される。警報表示アイコン４０３は、サーバ兼用機から受信したアラームフラグを解析し、アラームとして表示するアラーム情報監視用ソフトと対応している。アラーム情報監視用ソフトは、例えば、ＡｃｔｉｖｅＸコントロールであり、クライアント端末からの要求に応じてサーバ兼用機から配信され、クライアント端末にインストールされる。また、アラーム表示は、警報表示アイコン４０３の色変化や、アラーム音として出力される。
【００３２】
図９は、クライアント端末８からサーバ兼用機１Ａおよび一般のエンコーダ１Ｂ〜１Ｎに監視ページ要求（３１０）があった場合の動作シーケンスを示す。
各クライアント端末８は、ＷＥＢブラウザを起動した後、サーバ兼用機１Ａに監視ページの警報表示部４０２とコンテンツ部４０４のＷＥＢページを要求する（３１１）。コンテンツ部４０４のＷＥＢページ要求は、サーバ兼用機１Ａと一般のエンコーダ１Ｂ〜１Ｎに共通するため、図では、一般エンコーダからの応答動作として示してある。
【００３３】
警報表示部のＷＥＢページ要求を受信（２１０）したサーバ兼用機は、要求されたＷＥＢページをメモリ２２から読み出し、アラームフラグ６０の値を付加して、要求元クライアント端末に送信する（２１１）。アラームフラグ６０の値は、警報表示部の内容を記述したＨＴＭＬファイルに含まれるＰＡＬＡＭ（パラメータ）要素のｖａｌｕｅ属性値として設定される。ＰＡＲＡＭ要素の属性値は、クライアント端末側でアラーム情報監視用ソフトが起動した時、初期値として設定される。一方、コンテンツ部のＷＥＢページ要求を受信（１１０）したエンコーダ（サーバ兼用機を含む）は、要求されたＷＥＢページをメモリ２２から読み出して、クライアント端末に送信する（１１１）。
【００３４】
クライアント端末８は、受信したＷＥＢページをＷＥＢブラウザ上に表示する（３１２）。この時、アラーム情報監視用ソフトであるＡｃｔｉｖｅＸコントロールが既にインストール済みの場合は（３１３）、ＡｃｔｉｖｅＸコントロールが起動され（３１６）、ＡｃｔｉｖｅＸコントロールが、警報表示部ＷＥＢページに付加された上記ｖａｌｕｅ属性値を読み取り、アラームフラグがオン状態となっていた場合は、警報表示アイコン４０３を警報色で表示し、アラーム音を出力する等の通報処理を実行する。
【００３５】
ＡｃｔｉｖｅＸコントロールがインストールされていない場合は、クライアント端末は、サーバ兼用機にＡｃｔｉｖｅＸコントロールの送信を要求する（３１４）。サーバ兼用機は、上記要求を受信すると（２１４）、予めメモリ２１に用意されているＡｃｔｉｖｅＸコントロールをクライアント端末に送信する（２１５）。これにより、クライアント端末は、ＡｃｔｉｖｅＸコントロールをインストールし（３１５）、既に受信済みのコンテンツ部のＷＥＢページの表示処理を実行する（３１６）。
【００３６】
図１０は、アラーム詳細ページ要求（３２０）の処理シーケンスを示す。
クライアント端末のオペレータは、監視ページの表示時点でアラーム通報があった場合に、アラーム発生元を確認するために、サーバ兼用機にアラーム詳細ページを要求する（３２１）。サーバ兼用機は、上記アラーム詳細ページ要求を受信すると（２２０）、図３に示したアラーム情報テーブル５０からアラーム詳細ページを生成し、これを要求元クライアント端末に送信する（２２１）。クライアント端末は、上記アラーム詳細ページをコンテンツ表示部４０４に表示する（３２２）。
【００３７】
アラーム詳細ページでアラーム発報センサを確認したオペレータは、アラーム発生元のエンコーダに対してコンテンツ配信を要求する。このコンテンツ配信要求は、例えば、オペレータがアラーム詳細ページ上で発報状態にあるエントリを選択したことに応答して、プロセッサ２０が、上記選択エントリが示すエンコーダＩＰアドレス宛に、発報センサの接点番号を指定した形で自動的に発行させることができる。このコンテンツ配信要求に対して、アラーム発生元のエンコーダが、監視画面のＷＥＢページ送信（１１１）を実行する。これによって、クライアント端末のコンテンツ表示部４０４に監視画像が出力され、センサ発報現場の遠隔モニタが可能となる（３１２）。
【００３８】
次に、図１１〜図１３を参照して、各エンコーダにおけるセンサ接続状態の自動検出について説明する。
図１１（Ａ）は、センサコネクタ１５にセンサ３−１の出力信号線Ｌ１が接続された状態を示し、図１１（Ｂ）は、未接続時の状態を示している。センサコネクタ１５は、出力信号線Ｌ１の挿入に伴って押し上げ可能な可動接点端子４１と、固定端子４２とからなり、可動接点端子４１の電極部には、電極部の上昇に伴ってスイッチ接点４４を押し上げるための突起４３が設けてある。
【００３９】
出力信号線Ｌ１が未挿入の状態（センサ未接続状態）では、図１１（Ｂ）に示すように、スイッチ接点４４と固定接点４５とが離間した状態にあり、固定接点４５には所定電位Ｖｃｃ（例えば、５Ｖ）が現れる。出力信号線Ｌ１が挿入された状態（センサ接続状態）では、上記スイッチ接点４４と固定接点４５とが接触し、固定接点４５が接地電位に低下する。接続検知回路１６−１は、信号線４６に現れる上述した固定接点４５の電位から、センサの接続状態を検出する。
【００４０】
図１２は、電源投入時にサーバ兼用機１Ａと一般のエンコーダ１Ｂ〜１Ｎで実行されるセンサ接続状態検出動作のフローチャートを示す。
サーバ兼用機の電源が投入されると（２５０）、プロセッサ２０は、セレクタ１７を切り換えながら接続検出回路１６（１６−１〜１６―８）の出力信号状態を順次に読み取り（２５１）、図１３に示すセンサ接続状態テーブル９０を作成する（２５２）。センサ接続状態テーブル９０は、エンコーダＩＰアドレス９２と、接点番号９３と、センサの接続状態９４との関係を示している。
【００４１】
プロセッサ２０は、上記センサ接続状態テーブル９０の各エントリにセンサ番号５１を付与し、エンコーダＩＰアドレス９２、接点番号９３、接続状態９４を図３に示したアラーム情報テーブルに、エンコーダＩＰアドレス５２と、接点番号５３と、センサの接続状態５４として登録する（２５３）。
【００４２】
一方、各エンコーダのプロセッサ２０は、電源が投入されると（１５０）、上記サーバ兼用機と同様の手順（１５１）でセンサ接続状態テーブル９０を作成し（１５２）、これをサーバ兼用機に送信する（１５３）。サーバ兼用機は、エンコーダからセンサ接続状態テーブル９０を受信すると、各エントリにセンサ番号５１を付与し、これをアラーム情報テーブルにエントリ登録する（２５３）。上記構成によって、ネットワーク監視システムの起動時に、センサ接続情報の収集とアラーム情報テーブルへのエントリ登録を自動化することができる。
【００４３】
【発明の効果】
以上の実施例から明らかなように、本発明によれば、ネットワーク監視システムを構成するＷＥＢエンコーダのうちの１つをサーバ兼用機として機能させ、サーバ兼用機に監視システムのアラーム情報を一括括管理させているため、監視ステムの拡張作業を容易にできる。また、監視システムのアラーム情報をＷＥＢブラウザで閲覧する場合に、監視画面を警報表示部とコンテンツ表示部で構成し、警報表示部にサーバ兼用機で一括管理したアラーム情報を提示することにより、クライアント端末からのエンコーダアクセスを容易にできる。
【図面の簡単な説明】
【図１】本発明を適用するネットワーク型監視システムの全体装置を示す図。
【図２】本発明によるエンコーダ１の構成の１例を示す図。
【図３】サーバ兼用機１Ａが備えるアラーム情報テーブル５０の１例を示す図。
【図４】サーバ兼用機１Ａが備えるアラームフラグ６０を示す図。
【図５】サーバ兼用機１Ａが備えるアラーム送信先テーブル７０の１例を示す図。
【図６】エンコーダ１Ｂ〜１Ｎが備えるアラーム送信先テーブル８０の１例を示す図。
【図７】本発明のネットワーク型監視システムにおけるセンサ発報時の動作シーケンスを示す図。
【図８】クライアント端末に表示されるリモート監視画面の１例を示す図。
【図９】本発明のネットワーク型監視システムでクライアント端末から監視ページ要求があった時の動作シーケンスを示す図。
【図１０】本発明のネットワーク型監視システムでクライアント端末からアラーム詳細ページ要求があった時の動作シーケンスを示す図。
【図１１】センサコネクタにおけるセンサ出力信号線の接続状態を説明するための図。
【図１２】電源投入時にサーバ兼用機とエンコーダで実行されるセンサ接続状態検出動作のフローチャート。
【図１３】サーバ兼用機とエンコーダで形成されるセンサ接続状態テーブル９０の構成を示す図。
【符号の説明】
１Ａ：サーバ兼用機、１Ｂ〜１Ｎ：エンコーダ、３：センサ、４：カメラ、
６：ネットワーク、８：クライアント端末、１１：画像伸張部、
１３：音声圧縮伸張部、１４：カメラ制御部、１５：センサコネクタ、
１６：接続検知回路、１９：アラーム制御部、２０：プロセッサ、
２１：プログラムメモリ、２２：データメモリ、２３：記録装置、２４：データファイル、２５：入力装置、２６：ＬＡＮインタフェース、５０：アラーム情報テーブル、６０：アラームフラグ、７０、８０：アラーム送信先テーブル、
９０：センサ接続状態テーブル、４０１：ＷＥＢブラウザ、
４０２：警報表示部、４０４：コンテンツ表示部。
【図１】
2004295835.tif 000003
【図２】
2004295835.tif 000004
【図３】
2004295835.tif 000005
【図４】
2004295835.tif 000006
【図５】
2004295835.tif 000007
【図６】
2004295835.tif 000008
【図７】
2004295835.tif 000009
【図８】
2004295835.tif 000010
【図９】
2004295835.tif 000011
【図１０】
2004295835.tif 000012
【図１１】
2004295835.tif 000013
【図１２】
2004295835.tif 000014
【図１３】
2004295835.tif 000015